(57)【特許請求の範囲】
【請求項１】
被治療者に対して高圧の電位を加えて電位治療を行うために用いられる高圧電位治療器であって、
入力電源を直流２６Ｖに変換するスイッチング電源（３）と、
該スイッチング電源（３）に接続され、前記スイッチング電源（３）より供給される直流２６Ｖの電圧を所定の電圧に制御するための電圧制御手段（１０）と、
該電圧制御手段（１０）により所定の電圧レベルに変圧された電源を高圧の直流又は交流に変換して出力するための高圧電位発生手段（１９）と、
該高圧電位発生手段（１９）で生成された高圧の直流又は交流を被治療者側に出力するための出力手段（２４）と、
複数のモードを選択可能なモードスイッチ（６）を備えるとともに、該モードスイッチ（６）によるモード設定に応じて、少なくとも前記電圧制御手段（１０）、高圧電位発生手段（１９）及び出力手段（２４）の作動を制御するマイコン（５）と、
被治療者の脈拍を検知して該検知した脈拍信号を出力するための脈拍センサー（１４）と、を具備し、
前記電圧制御手段（１０）は、
前記スイッチング電源（３）よりメイン電源としての直流２６Ｖが供給されるトランジスタ（１１０１）と、
前記マイコン（５）に接続され、マイコン（５）から出力される０から２５５迄の任意の８ビットの信号をマイコン（５）からの出力に応じた電圧レベルに変換するとともに、該変換した電圧を前記トランジスタ（１１０１）に出力することで前記スイッチング電源（２）より供給される電源の電圧レベルを調整するラダー回路（１２）を具備し、
前記マイコン（５）は、前記脈拍センサー（１４）で検知した脈拍数が少なくなるに従って、前記ラダー回路（１２）に出力する信号を調整することで、前記入力電源の電圧を徐々に上げることを特徴とする高圧電位治療器。
【請求項２】
被治療者に対して高圧の電位又は温熱を加えて治療を行うために用いられる高圧電位治療器であって、
入力電源を直流２６Ｖに変換するスイッチング電源（３）と、
該スイッチング電源（３）に接続され、前記スイッチング電源（３）より供給される直流２６Ｖの電圧を所定の電圧に制御するための電圧制御手段（１０）と、
電位治療と温熱治療とを切り替えるための切替手段（１５）と、
電位治療が選択されている場合に、前記電圧制御手段（１０）により予め設定された電圧レベルに変圧された電源を高圧の直流又は交流に変換して出力するための高圧電位発生手段（１９）と、
被治療者に電位を加えるときには前記高圧電位発生手段（１９）で生成された高圧の直流又は交流を出力し、被治療者に温熱を加えるときには前記電圧制御手段（１０）により所定電圧に制御された電源を出力するための出力手段（２４）と、
複数のモードを選択可能なモードスイッチ（６）を備えるとともに、該モードスイッチ（６）によるモード設定に応じて、少なくとも前記電圧制御手段（１０）、切替手段（１５）、高圧電位発生手段（１９）及び出力手段（２４）の作動を制御するマイコン（５）と、
被治療者の脈拍を検知して該検知した脈拍信号を出力するための脈拍センサー（１４）と、を具備し、
前記電圧制御手段（１０）は、
前記スイッチング電源（３）よりメイン電源としての直流２６Ｖが供給されるトランジスタ（１１０１）と、
前記マイコン（５）に接続され、マイコン（５）から出力される０から２５５迄の任意の８ビットの信号をマイコン（５）からの出力に応じた電圧レベルに変換するとともに、該変換した電圧を前記トランジスタ（１１０１）に出力することで前記スイッチング電源（２）より供給される電源の電圧レベルを調整するラダー回路（１２）を具備し、
被治療者に電位を加えるときには、前記マイコン（５）は、前記脈拍センサー（１４）で検知した脈拍数が少なくなるに従って、前記ラダー回路（１２）に出力する信号を調整することで、前記入力電源の電圧を徐々に上げることを特徴とする高圧電位治療器。
【請求項３】
前記高圧電位発生手段（１９）は、
供給された電源を高圧のパルス信号に変換して出力するパルス発振回路（２０）と、
プラス側の位相制御回路（２１Ａ）とマイナス側の位相制御回路（２１Ｂ）を備えて、被治療者に交流を加えるときには前記パルス発振回路（２０）から出力されたパルス信号から、プラス側の信号とマイナス側の信号をそれぞれ取り出し、被治療者に直流を加えるときには、マイナス側の位相制御回路（２１Ｂ）のみが作動して、前記パルス発振回路（２０）から出力されたパルス信号よりマイナス側の信号を取り出す位相制御回路（２１）と、
プラス側の位相制御回路（２１Ａ）で取り出された信号を所定の倍率で逓倍するプラス側逓倍回路（２２Ａ）と、マイナス側の位相制御回路（２１Ｂ）で取り出された信号を所定の倍率で逓倍するマイナス側逓倍回路（２２Ｂ）を備えて、交流を出力する場合にはプラス側逓倍回路（２２Ａ）とマイナス側逓倍回路（２２Ｂ）の双方が機能し、直流を出力する場合にはマイナス側逓倍回路（２２Ｂ）が機能する逓倍回路（２２）と、
プラス側出力制御回路（２３Ａ）とマイナス側出力制御回路（２３Ｂ）を有して、被治療者に交流を加えるときには、プラス側逓倍回路（２２Ａ）で所定の倍率に逓倍されたプラス波形とマイナス側逓倍回路（２２Ｂ）で所定の倍率に逓倍されたマイナス波形のそれぞれの信号についてゼロ点を合成することで交流波形を生成して出力し、被治療者に直流を加えるときには、マイナス側逓倍回路（２２Ｂ）で所定の倍率で逓倍された波形を用いて直流波形を生成して出力する出力制御回路（２３）と、を具備したことを特徴とする請求項１又は請求項２に記載の高圧電位治療器。
【発明の詳細な説明】
【技術分野】
【０００１】
本発明は、被治療者に高圧の直流または交流を加えることにより電位治療を可能とした高圧電位治療器に係り、より詳しくは、被治療者の脈拍数を参考にし、副交感神経が働いているときに高い電圧を加えることで、治療効率を高めることを可能にした高圧電位治療器に関する。
【背景技術】
【０００２】
従来から、頭痛、肩こり、不眠等を治療するための装置として、血液循環をよくして体質改善に効果を有する高圧電位治療器が用いられている。
【０００３】
即ち、高圧電位治療器とは、被治療者の身体に高圧の電位を加える装置であり、この高圧電位治療器を用いて治療を行うことにより、被治療者は、血液循環が良くなり体質が改善され、頭痛、肩こり、不眠等を無くすることができるものである。
【０００４】
ところで、被治療者の身体に高圧の電位を加えて行う電位治療は、副交感神経の働きを強め、身体に蓄積された老廃物の代謝を促進させる作用があるため、治療効率を高めるためには、心身ともにリラックスして副交感神経が働いているときに治療を行うことが望ましいといわれており、そのため、心身ともにリラックスしている睡眠中に高圧電位治療器による電位治療を行う場合がある。
【０００５】
また、高圧電位治療器による治療では、例えば１時間等のまとまった治療時間が必要であるために、日中にまとまった時間をとれない者は、睡眠時間を利用して高圧電位治療を行う場合がある。
【０００６】
しかしながら、その一方、従来の高圧電位治療器では、睡眠中に高圧電位治療を行なった場合には、交流特有の振動が睡眠の妨げになる場合があるため、有効な治療を行なうことが困難になることがある。
【０００７】
即ち、一般的に、睡眠には、浅い眠りのレム睡眠と深い眠りのノンレム睡眠があり、更にノンレム睡眠は、眠りの浅い第１段階から眠りの深い第４段階までの４段階があり、人が眠るときは、眠りの浅いノンレム睡眠の第１段階から始まって、その後、ノンレム睡眠の第２段階乃至第４段階の深い眠りに移っていき、やがて眠りの浅いレム睡眠に入っていくと言われ、これが睡眠の１サイクルであり、この１サイクルが約９０分といわれているが、従来の高圧電位治療器では、予め電圧値を設定した後にスイッチをオンにすると、治療の当初より、この予め設定した電圧値が被治療者に加えられるために、例えば１０００Ｖを超える電圧値を設定した場合には、治療開始時の眠りの浅いときに交流特有の振動が被治療者に伝わってしまい、この振動が被治療者の睡眠の妨げになってしまうという問題点が指摘されていた。
【０００８】
その一方、電圧値を低い値に設定した場合には、例えば電圧値を１，０００Ｖに下げた場合には振動が被治療者に伝わることはないが、高圧電位治療では電圧値が高いほど効果が高いために、電圧値を１，０００Ｖに設定した場合にはより高い効果を得ることが困難になってしまうという問題点がある。
【０００９】
そのために、本発明者は過去において、前述の睡眠リズムに合わせて、被治療者に加える電圧を徐々に上げていくことにより、入眠当初の浅い眠りのときは交流の振動が被治療者に伝わることを防止して、睡眠の妨げになることなく、有効な高圧電位治療を行なうことを可能とした高圧電位治療器を提案した。
【先行技術文献】
【特許文献】
【００１０】
【特許文献１】特開２００５−４０２４１号公報
【特許文献２】特開平９−２８８１３号公報
【特許文献３】実公平７−１３７２３号公報
【発明の概要】
【発明が解決しようとする課題】
【００１１】
ところで、前述のように、人間の睡眠は、眠りの浅いノンレム睡眠の第１段階から始まって、その後、ノンレム睡眠の第２段階乃至第４段階の深い眠りに移っていき、やがて眠りの浅いレム睡眠に入っていき、これが睡眠の１サイクルであり、この１サイクルが約９０分といわれているが、それぞれの段階の時間には個人差があり、個人によって各段階の時間は異なっている。
【００１２】
しかしながら、前述の特開２００５−４０２４１号の高圧電位治療器では、被治療者に加える複数種類の電圧値と、それらの電圧を被治療者に加える順序及び時間を予め設定しておき、治療開始と同時に、その設定にしたがって、入力電源の電圧を所望する電圧に変換して被治療者に加えることとしており、即ち、睡眠リズムの個人差を全く考慮せずに、一律に、被治療者に加える複数種類の電圧値とそれらの電圧を被治療者に加える順序及び時間を設定していた。
【００１３】
そのために、前述の特開２００５−４０２４１号の高圧電位治療器では、実際には電圧を高める時期ではないのにもかかわらず高圧を被治療者に加えてしまうおそれも十分に考えられ、必ずしも治療効率を高めることはできないという問題点が考えられた。
【００１４】
そこで、本発明は、被治療者の状態に合わせて被治療者に加える電圧レベルを調整し、それにより、効果的な電位治療を可能にした高圧電位治療器を提供することを課題としている。
【課題を解決するための手段】
【００１５】
請求項１に記載の本発明は、被治療者に対して高圧の電位を加えて電位治療を行うために用いられる高圧電位治療器であって、
入力電源を直流２６Ｖに変換するスイッチング電源と、
該スイッチング電源に接続され、前記スイッチング電源より供給される直流２６Ｖの電圧を所定の電圧に制御するための電圧制御手段と、
該電圧制御手段により予め設定された電圧レベルに変圧された電源を高圧の直流又は交流に変換して出力するための高圧電位発生手段と、
該高圧電位発生手段で生成された高圧の直流又は交流を被治療者側に出力するための出力手段と、
複数のモードを選択可能なモードスイッチを備えるとともに、該モードスイッチによるモード設定に応じて、少なくとも前記電圧制御手段、高圧電位発生手段及び出力手段の作動を制御するマイコンと、
被治療者の脈拍を検知して、該検知した脈拍信号を出力するための脈拍センサーと、を具備し、
前記電圧制御手段は、
前記スイッチング電源よりメイン電源としての直流２６Ｖが供給されるトランジスタと、
前記マイコンに接続され、マイコンから出力される０から２５５迄の任意の８ビットの信号をマイコンからの出力に応じた電圧レベルに変換するとともに、該変換した電圧を前記トランジスタに出力することで前記スイッチング電源より供給される電源の電圧レベルを調整するラダー回路を具備し、
前記マイコンは、前記脈拍センサーで検知した脈拍数が少なくなるに従って、前記ラダー回路に出力する信号を調整することで、前記入力電源の電圧を徐々に上げることを特徴としている。
【００１６】
また、請求項２に記載の本発明は、被治療者に対して高圧の電位又は温熱を加えて治療を行うために用いられる高圧電位治療器であって、
入力電源を直流２６Ｖに変換するスイッチング電源と、
該スイッチング電源に接続され、前記スイッチング電源より供給される直流２６Ｖの電圧を所定の電圧に制御するための電圧制御手段と、
電位治療と温熱治療とを切り替えるための切替手段と、
電位治療が選択されている場合に、前記電圧制御手段により予め設定された電圧レベルに変圧された電源を高圧の直流又は交流に変換して出力するための高圧電位発生手段と、
被治療者に電位を加えるときには前記高圧電位発生手段で生成された高圧の直流又は交流を出力し、被治療者に温熱を加えるときには前記電圧制御手段により所定電圧に制御された電源を出力するための出力手段と、
複数のモードを選択可能なモードスイッチを備えるとともに、該モードスイッチによるモード設定に応じて、少なくとも前記電圧制御手段、切替手段、高圧電位発生手段及び出力手段の作動を制御するマイコンと、
被治療者の脈拍を検知して、該検知した脈拍信号を出力するための脈拍センサーと、を具備し、
前記電圧制御手段は、
前記スイッチング電源よりメイン電源としての直流２６Ｖが供給されるトランジスタと、
前記マイコンに接続され、マイコンから出力される０から２５５迄の任意の８ビットの信号をマイコンからの出力に応じた電圧レベルに変換するとともに、該変換した電圧を前記トランジスタに出力することで前記スイッチング電源より供給される電源の電圧レベルを調整するラダー回路を具備し、
被治療者に電位を加えるときには、前記マイコンは、前記脈拍センサーで検知した脈拍数が少なくなるに従って、前記ラダー回路に出力する信号を調整することで、前記入力電源の電圧を徐々に上げることを特徴としている。
【発明の効果】
【００１７】
本発明の高圧電位治療器では、入力電源の電圧を所定の電圧に制御するための電圧制御手段と、この電圧制御手段により予め設定された電圧レベルに変圧された電源を高圧の直流又は交流に変換して出力するための高圧電位発生手段と、この高圧電位発生手段で生成された高圧の直流又は交流を被治療者側に出力するための出力手段と、少なくとも前記電圧制御手段、高圧電位発生手段及び出力手段の作動を制御するマイコンとを有するとともに、被治療者の脈拍を検知して、この検知した脈拍信号を出力するための脈拍センサーを具備しており、脈拍センサーで検知した脈拍数に応じて、マイコンの制御により、入力電源の電圧を徐々に上げることとしている。
【００１８】
このように、本発明の高圧電位治療器では、脈拍センサーによって被治療者の脈拍数を監視しながら、被治療者の脈拍数に応じて、入力電源の電圧を徐々に上げることとしているため、被治療者の副交感神経が働いているときに高い電圧を被治療者に加えて効果的な電位治療を行うことが可能である。
【００１９】
即ち、人間には交感神経と副交感神経があり、日中等、人間が活発に活動して興奮状態にあるときは交感神経が働いており、睡眠時等、人間がリラックスしているときには副交感神経が働いているが、副交感神経が働いているリラックス状態のときには、血管が開いて脈拍数が少なくなっている。
【００２０】
そのため、被治療者の脈拍数に応じて、入力電源の電圧を徐々に上げることとしている本発明の高圧電位治療器では、脈拍数が少ないときに高圧を被治療者に加えることで、被治療者の副交感神経が働いているときに高い電圧を加えて効果的な電位治療を行うことが可能である。
【図面の簡単な説明】
【００２１】
【図１】本発明の高圧電位治療器の実施例における回路構成を示したブロック図である。
【図２】本発明の高圧電位治療器の実施例における電圧制御手段の構成を示したブロック図である。
【図３】本発明の高圧電位治療器の実施例における切替手段の構成を示したブロック図である。
【図４】本発明の高圧電位治療器の実施例における高圧電位発生手段の構成を示したブロック図である。
【図５】本発明のデジタル高圧電位治療器の実施例の作用を説明するためのフローチャートである。
【発明を実施するための形態】
【００２２】
本発明の高圧電位治療器では、入力された電源の電圧を所定の電圧の直流に変換するためのスイッチング電源を備えている。そして、このスイッチング電源には、入力された電源の電圧を所定の電圧に制御するための電圧制御手段が接続されている。
【００２３】
また、電圧制御手段には制御手段としてのマイコンが接続されており、このマイコンは、高圧電位治療器全体の作動を制御するとともに、モードスイッチを介して設定された指示に従い、前記電圧制御手段を制御して、電圧制御手段によって変換する電圧値を制御することとしている。
【００２４】
次に、電圧制御手段には、切替手段が接続されており、この切替手段は、マイコンによる制御で、電圧制御手段において所定の電圧に変圧された電源を、電位治療用に出力するか、あるいは温熱治療用に出力するかを切り替えるために用いられる。
【００２５】
そして、切替手段には高圧電位発生手段が接続されており、この高圧電位発生手段においては、電圧制御手段において所定の電圧に変圧され、電位治療用に出力された電源が、高圧の直流又は交流に変換されて出力される。
【００２６】
また、前記切替手段には出力手段が接続されており、この出力手段では、温熱治療を行う場合には、切替手段から温熱治療用に出力された電源を高圧ソケットに出力し、一方、電位治療を行う場合には、高圧電位発生手段から出力された電源を高圧ソケットに出力することとしている。
【００２７】
更に、本発明の高圧電位治療器では、被治療者の脈拍を検知して、この検知した脈拍信号を出力するための脈拍センサーを有しており、この脈拍センサーはマイコンに接続されている。
【００２８】
そして、被治療者に電位を加えるときには、脈拍センサーが被治療者の脈拍を監視し、検知した脈拍数に応じて、前記マイコンの制御により、電圧制御手段において変換される電圧値を制御することが可能となる。
【００２９】
次に、前記高圧電位発生手段は、電圧制御手段から電位治療用に出力された電源を高圧のパルス信号に変換して出力するパルス発振回路を備えており、このパルス発振回路には、被治療者に交流を加えるときには前記パルス信号よりプラス側の信号及びマイナス側の信号をそれぞれ取り出し、被治療者に直流を加えるときには前記パルス信号よりマイナス側の信号を取り出すための位相制御回路が接続されている。
【００３０】
そして、位相制御回路には逓倍回路が接続されており、この逓倍回路は、前記位相制御回路よりの出力を高圧に変換するために用いられる。
【００３１】
また、前記逓倍回路には、前記逓倍回路により高圧に変換された信号について、そのゼロ点を合成するための出力制御回路が接続されている。
【００３２】
そして、このような構成において、スイッチをオンにすると、脈拍センサーによって被治療者の脈拍数が監視され、被治療者に電位を加えるときには、前記脈拍センサーで検知した脈拍数に応じて、前記マイコンの制御により、電圧制御手段において、入力電源の電圧を所定の電圧に変圧可能としており、電圧制御手段から出力された電源の電圧は、高圧電位発生手段において、高圧の直流又は交流に変換された後に、出力手段を介して高圧ソケットに出力される。
【００３３】
一方、温熱を被治療者に加えるときには、前記電圧制御回路により所定の電圧に変換された電源は、切替手段を介して出力手段に出力され、更に高圧ソケットに出力される。
【実施例１】
【００３４】
本発明の高圧電位治療器の実施例について図面を参照して説明すると、図１は、本実施例の高圧電位治療器１の回路構成を説明するためのブロック図であり、図１に示す高圧電位治療器１では、電位治療の他にヒーターによる温熱治療を可能にしているとともに、電位治療の場合には、直流と交流を被治療者の選択に基づいて切り替え可能なものとしている。
【００３５】
即ち、本実施例の高圧電位治療器１では、治療器全体を制御するための制御手段としてのマイコン５を備えており、このマイコン５には、モードの選択や各種設定を行うためのモードスイッチ６と、表示手段７と、音声発生手段としてのスピーカー８とが接続されており、表示手段７における表示、及びスピーカー８による音声案内等を参考にしながら、モードスイッチ６によりモードの種類、電圧値等を設定可能としている。
【００３６】
そして、本実施例において設定可能なモードとしては、少なくとも、（１）電位治療のみ、（２）温熱治療のみ、（３）電位治療と温熱治療の所定時間ごとの切り替え、（４）脈拍数に応じて電圧を変化させる直流治療、（５）脈拍数に応じて電圧を変化させる交流治療を備えている。
【００３７】
また、本実施例において設定可能な電圧値としては、直流電圧の場合は１，０００Ｖから１４，０００Ｖ、交流の場合は１，０００Ｖから９，０００Ｖとしており、温熱に関しても複数段階の選択を可能としている。
【００３８】
更に、例えば、脈拍数に応じて電圧を変化させる治療を選択した場合には、脈拍数に応じて、加える電圧値を設定しておくか、あるいは、自動設定を選択することで、脈拍数に対応して予め設定してある電圧が被治療者に加えられる。
【００３９】
また、本実施例の高圧電位治療器では、高圧ソケット９を備えており、この高圧ソケット９に、ニクロム線及び特殊カーボンフィルム等の導電手段を内蔵した通電マット２５を接続することで、通電マット２５を介して、被治療者に対する電位治療及び温熱治療を可能としている。
【００４０】
次に、本実施例の高圧電位治療器１の回路構成について説明すると、図１において、２はスタートスイッチであり、このスタートスイッチ２をオンにすることで、本実施例の高圧電位治療器１に電源が供給される。
【００４１】
次に、図において３はスイッチング電源であり、本実施例においてこのスイッチング電源３は、交流８５Ｖ〜２６０Ｖの入力を受けてこれを直流２６Ｖに変換する。
【００４２】
そして、このスイッチング電源３には、電圧調整手段としてのＤＣ／ＤＣコンバーター４が接続されており、このＤＣ／ＤＣコンバーター４において、前記直流２６Ｖを直流５Ｖに変換するとともに、変換された直流５Ｖが、制御用電圧として前記マイコン５に入力される。
【００４３】
また、前記スイッチング電源３には電圧制御手段１０が接続されており、この電圧制御手段１０においては、前記スイッチング電源３より供給される直流２６Ｖの電圧が任意の値に変換される。
【００４４】
ここで、前記電圧制御手段１０について図２を参照して説明すると、本実施例において前記電圧制御手段１０は、電圧制御回路１１を有している。そして、この電圧制御回路１１は、トランジスタ１１０１と、このトランジスタ１１０１のベースに接続された制御用ＩＣ１１０２を含んでおり、電圧制御回路１１のトランジスタ１１０１に、前記スイッチング電源３より、メイン電源としての直流２６Ｖが供給される。
【００４５】
また、前記電圧制御手段１０はラダー回路１２を有しており、このラダー回路１２は、前記マイコン５に接続されている。そして、マイコン５からラダー回路１２に対して、０から２５５迄の任意の８ビットの信号が出力され、ラダー回路１２においては、マイコン５からの入力が電圧レベルに変換される。
【００４６】
また、ラダー回路１２は前記制御用ＩＣ１１０２に接続されており、マイコン５からの出力に応じた電圧が、制御用ＩＣ１１０２を介して、ラダー回路１２から前記トランジスタ１１０１のベース側に出力され、これにより、メイン電源としての直流２６Ｖの電圧を所望する値に変換して出力することが可能となる。
【００４７】
即ち、本実施例においては、マイコン５からラダー回路１２への出力を調整することにより、ラダー回路１２からトランジスタ１１０１のベース側に出力される電圧レベルを調整することができ、これにより、スイッチング電源２より供給される電源の電圧レベルを調整可能であり、更に、直流２６Ｖを、交流波形に類似した波形として電圧制御回路１１より出力することも可能である。
【００４８】
なお、本実施例においては、ＤＣ／ＤＣコンバーターを含む制御電圧生成手段１３を、前記電圧制御手段１０に備えており、この制御電圧生成手段１３に前記スイッチング電源３より直流２６Ｖを供給するとともに、制御電圧生成手段１３の出力側を前記制御用ＩＣ１１０２に接続している。
【００４９】
そして、この制御電圧生成手段１３において、スイッチング電源３より供給された直流２６Ｖを直流５Ｖに変換するとともに、この直流５Ｖを前記直流２６Ｖに加算して直流３１Ｖを生成し、この直流３１Ｖを、前記制御用ＩＣ１１０２に供給しており、これにより、メイン電源の直流２６Ｖを確実にトランジスタより出力可能としている。
【００５０】
即ち、この制御用の直流３１Ｖを加えない場合には、各種の抵抗等の影響により、マイコン５からの出力を最大にした場合でもトランジスタから直流２６Ｖを出力することが困難になってしまう。そこで本実施例においては、制御用電圧として直流３１Ｖを生成するとともにこの直流３１Ｖを、制御用ＩＣ１１０２に供給し、メイン電源の直流２６Ｖを確実に出力可能としている。
【００５１】
次に、図１において１４は脈拍センサーである。即ち、本実施例の高圧電位治療器１では、脈拍センサー１４を備えており、この脈拍センサー１４によって、被治療者の脈拍を検知及び監視可能としている。
【００５２】
そして、この脈拍センサー１４は前記マイコン５に接続されており、脈拍センサー１４は、検知した脈拍信号をマイコン５に出力することとしている。
【００５３】
そして、この構成においてマイコン５は、モード選択において、脈拍数に応じて電圧を変化させる直流治療、あるいは、脈拍数に応じて電圧を変化させる交流治療が選択された場合に、前記脈拍センサー１４で検知した脈拍数に応じて、前記ラダー回路１２に対して出力する信号を調整し、スイッチング電源２より供給される電源の電圧レベルを調整することとしている。
【００５４】
従って、本実施例の高圧電位治療器１においては、脈拍数が少ないときに高圧を被治療者に加えることで、被治療者の副交感神経が働いているときに、高い電圧を加えて効果的な電位治療を行うことが可能である。
【００５５】
例えば、マイコン５は、直流電圧が選択されている場合には、治療の開始当初は、１，０００Ｖを被治療者に加えることが可能なようにラダー回路を制御し、その後、脈拍数が少なくなるに従って、被治療者に加える電圧を徐々に上げて最終的には１４，０００Ｖを被治療者に加えることが可能なようにし、また、交流電圧が選択されている場合には、治療の開始当初は、１，０００Ｖを被治療者に加えることが可能なようにラダー回路を制御し、その後、脈拍数が少なくなるに従って、被治療者に加える電圧を徐々に上げて最終的には９，０００Ｖを被治療者に加えることが可能なようにすることができる。従って、本実施例の高圧電位治療器では、被治療者の副交感神経が働いているときにより高い電圧を加えて電位治療の効果を上げることができる。
【００５６】
なお、脈拍センサーには、光電式等種々の種類が存在するが、本発明において前記脈拍センサー１５の種類は特に限定されず、被治療者の脈拍を検知して検知した脈拍数を出力可能であればいずれの脈拍センサーを用いてもよい。
【００５７】
次に、図において１５は切替手段であり、本実施例の高圧電位治療器１では、前記切替手段１５によって、使用者の設定に応じて、電位治療、温熱治療の切り替えを可能にしている。
【００５８】
ここで、前記切替手段１５について説明すると、図３は本実施例における前記切替手段１５の構成を説明するためのブロック図であり、本実施例において前記切替手段１５には、電位治療のためのメイン電源を供給するための交流／直流切替回路１６と、温熱治療のためのメイン電源を供給するための温熱切替回路１７が備えられている。
【００５９】
即ち、交流／直流切替回路１６と温熱切替回路１７はそれぞれ、前記電圧制御回路１１に接続されており、マイコン５による制御で、前記電圧制御回路１１において所定の電圧に変圧された電源が、交流／直流切替回路１６と温熱切替回路１７に供給され、交流／直流切替回路１６は電位治療のためのメイン電源を供給し、温熱切替回路１７は温熱治療のためのメイン電源を供給することを可能としている。
【００６０】
そして、前記切替手段１５には、前記マイコン５に接続された電位温熱制御回路１８が備えられており、この電位温熱制御回路１８は、使用者の設定に応じて、電位治療、温熱治療の切り替えを可能にしている。
【００６１】
即ち、電位温熱制御回路１８には、前記交流／直流切替回路１６と温熱切替回路１７が接続されており、前記電位温熱制御回路１８からの信号を受けて、交流／直流切替回路１６、温熱切替回路１７のいずれかが作動することとしている。
【００６２】
そして、交流／直流切替回路１６が作動すると、前記電圧制御回路１１からの出力が高圧の直流又は交流に変換された後に前記高圧ソケット９に出力されて電位治療が可能となり、一方、温熱切替回路１７が作動すると、前記電圧制御回路１１からの出力が温熱治療用の電源として前記高圧ソケット９に供給されて温熱治療が可能となる。なお、本実施例において、前記交流／直流切替回路１６、温熱切替回路１７としては、ＳＣＲを用いている。
【００６３】
次に、図１において１９は高圧電位発生手段である。即ち、本実施例においては、前記交流／直流切替回路１６に高圧電位発生手段１９が接続されており、電位治療のために前記交流／直流切替回路１６が作動すると、前記電圧制御回路１１からの出力は、この高圧電位発生手段１９において高圧に変換される。
【００６４】
ここで、前記高圧電位発生手段１９について図４を参照して説明すると、図４は、前記高圧電位発生手段１９の構成を説明するためのブロック図であり、図において２０はパルス発振回路である。
【００６５】
即ち、本実施例における前記高圧電位発生手段１９では、前記交流／直流切替回路１６に接続されたパルス発振回路２０を備えており、交流／直流切替回路１６が作動すると、電圧制御回路１１から供給される直流電源は、パルス発振回路２０に入力される。
【００６６】
そして、パルス発振回路２０はトランスを備えており、入力された直流電圧を高圧のパルス信号に変換して出力する。なお、本実施例においては、直流２５Ｖが入力された場合には、パルス発振回路２０において、これを直流３，０００Ｖのパルスに変換可能としている。
【００６７】
次に、パルス発振回路２０には位相制御回路２１が接続されており、この位相制御回路２１は、プラス側の位相制御回路２１Ａとマイナス側の位相制御回路２１Ｂを備えている。
【００６８】
そして、被治療者に交流を加えるときには、プラス側の位相制御回路２１Ａは、前記パルス発振回路２０で出力されたパルス信号から、プラス信号を取り出し、マイナス側の位相制御回路２１Ｂは、前記パルス発振回路２０で出力されたパルス信号から、マイナス信号を取り出す。
【００６９】
一方、被治療者に直流を加えるときに、マイナス側の位相制御回路２１Ｂのみが作動して、前記パルス発振回路２０で出力されたパルス信号からマイナス信号を取り出す機能を有する。
【００７０】
この位相制御回路２１の作用について説明すると、本実施例において前記位相制御回路２１は、マイコン５による制御に基づいて作動し、被治療者に交流を加えるときには、前記パルス発振回路２０より出力されたパルス信号について、プラス側の信号とマイナス側の信号をそれぞれ別個に取り出すとともに、この取り出した信号を用いてプラス側の波形とマイナス側の波形を生成する。そして、波形の生成に際しては、半サイクル分の信号を１６分割して合成して交流波形を生成することとしている。
【００７１】
一方、被治療者に直流を加えるときには、マイナス側の位相制御回路２１Ｂのみが作動して、前記パルス発振回路２０より出力されたパルス信号についてマイナス側の信号を取り出す。なお、被治療者に直流を加える際には、必ずしもマイナス信号を取り出す必要はなくプラス信号を取り出してもよいが、一般的にマイナス信号を出力することによりマイナスイオンが放出されると言われているため、本実施例ではマイナス信号を取り出すこととしている。
【００７２】
次に、図４において２２は逓倍回路である。即ち、本実施例において前記位相制御回路２１には、マイコン５により制御される逓倍回路２２が接続されており、前記位相制御回路２１において取り出された信号がそれぞれ、この逓倍回路２２において、所定の倍率で逓倍される。
【００７３】
なお、本実施例において前記逓倍回路２２としては、複数個のダイオードと複数個のコンデンサーを組み合わせた６逓倍回路としており、従って、本実施例においては、変圧手段において高圧に変換された電源の電圧が、この逓倍回路２２において約６倍の電圧に変換される。
【００７４】
また、逓倍回路２２は、前記プラス側の位相制御回路２１Ａの出力とマイナス側の位相制御回路２１Ｂの出力をそれぞれ逓倍するためのプラス側逓倍回路２２Ａとマイナス側逓倍回路２２Ｂとを備えており、交流を出力する場合には双方が機能し、直流を出力する場合にはマイナス側逓倍回路２２Ｂが機能する。
【００７５】
次に、前記逓倍回路２２には、プラス側出力制御回路２３Ａとマイナス側出力制御回路２３Ｂを有した出力制御回路２３が接続されており、前記プラス側逓倍回路２２Ａにプラス側出力制御回路２３Ａが接続され、マイナス側逓倍回路２２Ｂにマイナス側出力制御回路２３Ｂが接続されている。
【００７６】
そして、出力制御回路２３は、被治療者に交流を加えるときに、前記マイコン５による制御に基づいて、前記６倍されたプラス波形、マイナス波形のそれぞれの信号について、ゼロ点を合成することで交流波形を生成して出力し、被治療者に直流を加えるときにはマイナス側の逓倍回路２２Ｂの出力を出力する。
【００７７】
そして、この出力制御回路２３と前記切替手段１５内に備えられた温熱切替回路１７はそれぞれ、出力手段としての電位温熱切替回路２４に接続されており、使用者のモード設定に従い、電位治療を選択している場合には、前記高圧電位発生手段１９からの出力が、電位温熱切替回路２４を通った後に、高圧ソケット９を介して通電マット２５に出力され、一方、温熱治療を選択している場合には、温熱切替回路１７からの出力が、電位温熱切替回路２４を通った後に、高圧ソケット９を介して通電マット２５に出力される。なお、本実施例において電位温熱切替回路２４としては、高圧リレーを用いている。
【００７８】
次に、このように構成される本実施例の高圧電位治療器１の作用について図５のフローチャートを用いて説明すると、例えば商用１００Ｖが接続されている状態において、ステップ１において、モードスイッチ６によりモードの種類、電圧値等を設定した後に、ステップ２においてスタートスイッチをオンにすると、その後所定時間経過後、本実施例においては約３秒後に、設定したモード等に応じて、本実施例の高圧電位治療器１が作動を開始する。
【００７９】
即ち、スイッチング電源３において、入力電源が直流に変換され、２６Ｖが主電源として電圧制御手段１０に供給されとともに、スイッチング電源３よりの出力は、電圧調整手段としてのＤＣ／ＤＣコンバーター４において直流５Ｖに変換され、この直流５Ｖが、制御用電圧として前記マイコン５に供給される。
【００８０】
また、脈拍数に応じて電圧を変化させる治療を選択した場合には、ステップ３において、脈拍センサー１４によって被治療者の脈拍の検知が開始されるとともにこの検知が継続され、即ち、被治療者の脈拍数の監視が行われ、脈拍センサー１４で検知した被治療者の脈拍数がマイコン５に入力される。
【００８１】
次に、電圧制御手段１０に供給された主電源は、ステップ４において、電圧制御手段１０において所望する電圧に調整される。即ち、前述したように、使用者の選択に応じて、あるいは、脈拍数に応じて電圧を変化させる治療を選択した場合には、被治療者の脈拍数に応じて、マイコン５からラダー回路１２に対して、０から２５５迄の任意の８ビットの信号が出力され、このマイコン５からの入力に従ってラダー回路１２から制御用ＩＣに出力される電圧が調整される。そして、この電圧が、制御用ＩＣ１１０２を介してトランジスタ１１０１のベース側に出力され、これにより、メイン電源としての直流２６Ｖの電圧が所望する電圧に変換される。
【００８２】
従って、直流を被治療者に加えるときには、マイコン５からの出力を一定にするとよく、一方、交流を被治療者に加えるときには、マイコン５からの出力を０から２５５の間で変化させることにより、電圧制御回路１１からの出力を交流波形に類似した波状の波形として出力することが可能である。なおこのとき、前述のように、本実施例においては、電圧制御手段１０に、ＤＣ／ＤＣコンバーターを含む制御電圧生成手段１３を備えており、この制御電圧生成手段１３において、スイッチング電源３より供給された直流２６Ｖを直流５Ｖに変換するとともに、この直流５Ｖを前記直流２６Ｖに加算して直流３１Ｖを生成し、この直流３１Ｖを前記制御用ＩＣ１１０２に供給しているため、メイン電源の直流２６Ｖは確実にトランジスタより出力される。
【００８３】
また、脈拍数に応じて電圧を変化させる治療を選択した場合には、マイコン５は、被治療者の脈拍数に応じて、マイコン５からラダー回路１２に対して出力する信号を調整して、治療開始当初は低い電圧を被治療者に加え、脈拍数が少なくなるに従って、被治療者に加える電圧を徐々に上げ、最終的には、直流の場合には１４，０００Ｖ、交流の場合には９，０００Ｖを被治療者に加えることが可能なようにする。
【００８４】
次に、電圧制御手段１０によって所望する電圧に調整された主電源は、電位温熱制御回路１８の制御により、被治療者に温熱を加えるときには、温熱切替回路１７及び電位温熱切替回路２４を介して高圧ソケット９に出力され、被治療者に電位を加えるときには、交流／直流切替回路１６を通った後に高圧電位発生手段１９において高圧に変換され、その後に、電位温熱切替回路２４を介して高圧ソケット９に出力される。
【００８５】
即ち、被治療者に温熱を加えるときには、マイコン５からの指示によって電位温熱制御回路１８が温熱切替回路１７を作動させ、これにより、電圧制御手段１０より出力された主電源は、ステップ５において、温熱切替回路１７及び電位温熱切替回路２４を介して高圧ソケット９に出力される。そしてそれにより、高圧ソケット９に接続された通電マット２５を介して、被治療者に対する温熱治療が可能となる。
【００８６】
一方、被治療者に電位を加えるときには、マイコン５からの指示によって電位温熱制御回路１８が交流／直流切替回路１６を作動させ、これにより、電圧制御手段１０よりの出力は、高圧電位発生手段１９に供給されるとともに、高圧電位発生手段１９において高圧に変換され、その後、電位温熱切替回路２４を介して高圧ソケット９に出力され、それにより、高圧ソケット９に接続された通電マット２５を介して、被治療者に対する電位治療が可能となる。
【００８７】
即ち、交流／直流切替回路１６が作動することにより、電圧制御手段１０よりの出力は、まず、パルス発振回路２０に入力されるとともに、パルス発振回路２０において、高圧のパルス信号に変換される（ステップ６）。具体的には、本実施例においては、直流２５Ｖが入力された場合には、３，０００Ｖのパルスに変換される。
【００８８】
次に、交流を被治療者に加えるときには、位相制御回路２１において、パルス発振回路２０よりの出力からプラス信号、マイナス信号がそれぞれ取り出されるとともに、この取り出した信号によって、プラス側の波形とマイナス側の波形が生成され（ステップ１１）、更に、この生成されたプラス側波形とマイナス側波形はそれぞれ、逓倍回路２２において６倍に逓倍される（ステップ１２）。そして、この６倍に逓倍された波形は、ステップ１３において、出力制御回路２３においてゼロ点が合成されて交流波形が生成され、この交流波形は、その後ステップ１４で、電位温熱切替回路２４及び高圧ソケット９を介して通電マット２５より被治療者に加えられる。
【００８９】
一方、直流を被治療者に加えるときには、位相制御回路２１において、パルス発振回路２０よりの出力からマイナス信号が取り出されるとともに（ステップ７）、ステップ８において、この取り出した信号が逓倍回路２２において６倍に逓倍される。そして、この６倍に逓倍された波形によって直流波形が生成され（ステップ９）、この直流波形は、その後ステップ１０で、電位温熱切替回路２４及び高圧ソケット９を介して通電マット２５より被治療者に加えられる。
【００９０】
このように、本実施例の高圧電位治療器では、脈拍センサー１４によって被治療者の脈拍数を監視しながら、被治療者の脈拍数に応じて、入力された電源の電圧を徐々に上げることとしているため、被治療者の脈拍数が少なく、被治療者の副交感神経が働いているときに高い電圧を被治療者に加え、それにより効果的な電位治療を行うことが可能である。
【００９１】
また本実施例の高圧電位治療器では、入力電源の電圧を予め設定した電圧に制御した後に、この予め設定された電圧レベルに変圧された電源を高圧の直流又は交流に変換して出力可能としており、更に高圧に変換する方法として逓倍回路を用いているために、大型のトランスが不要となり、これにより治療器の軽量化を達成することができる。
【００９２】
更に、入力電源を高圧の交流として出力するに際して、供給された電源を高圧のパルス信号に変換して出力した後に、このパルス信号よりプラス側の信号及びマイナス側の信号をそれぞれ取り出し、この取り出したプラス側信号及びマイナス側信号を高圧に変換し、その後、高圧に変換したプラス側信号及びマイナス側信号を、ゼロ点を合成して出力することを可能にしているため、ゼロ点を維持して正確な交流波形の電圧を出力することが可能である。
【産業上の利用可能性】
【００９３】
本発明は、被治療者の脈拍数を監視し、脈拍数が少なく副交感神経が働いているときに高い電圧を加えて効果的な電位治療を行うことを可能としているため、高圧電位治療器の全般に適用可能である。
【符号の説明】
【００９４】
１    高圧電位治療器
２    スタートスイッチ
３    スイッチング電源
４    ＤＣ／ＤＣコンバーター
５    マイコン
６    モードスイッチ
７    表示手段
８    音声発生手段
９    高圧ソケット
１０    電圧制御手段
１１    電圧制御回路
１２    ラダー回路
１３    制御電圧生成手段（ＤＣ／ＤＣコンバーター）
１４    脈拍センサー
１５    切替手段
１６    交流／直流切替回路
１７    温熱切替回路
１８    電位温熱制御回路
１９    高圧電位発生手段
２０    パルス発振回路
２１    位相制御回路
２２    逓倍回路
２３    出力制御回路
２４    電位温熱切替回路（出力手段）
２５    通電マット
【図１】
0005159837.tif 000002
【図２】
0005159837.tif 000003
【図３】
0005159837.tif 000004
【図４】
0005159837.tif 000005
【図５】
0005159837.tif 000006